(57)【特許請求の範囲】
【請求項１】
車両に搭載され、断熱パネルを備えた箱型荷台の荷室内を冷却する冷凍装置のエバポレータユニットであって、
前記断熱パネルには、上下方向に長い矩形状の２個の側方フレームが間隔を開けて並行に固定されるとともに、前記２個の側方フレームの前記断熱パネルと反対側には、上部に開口部を有する板状のカバー体が固定されており、
前記２個の側方フレームの下部の間には、前記冷凍装置のエバポレータが、その両端部が前記２個の側方フレームのそれぞれに固定されて設置され、
前記２個の側方フレームの上部の間には、前記断熱パネルと平行な縦仕切り板と、前記縦仕切り板の上端と前記カバー体との間を連結する上部仕切り板と、前記縦仕切り板の下端と前記箱型荷台の断熱パネルとの間を連結する下部仕切り板とを有する導風板が固定されており、
前記下部仕切り板の上方の前記縦仕切り板と前記断熱パネルとの間には、中心から径方向外方に流体を流す遠心式のエバポレータファンが、その回転軸が前記断熱パネルと直交するように設置され、かつ、前記縦仕切り板には導風孔が形成されており、
前記エバポレータを通過した冷気が、前記導風孔を介して前記エバポレータファンに導入された後、前記上部仕切り板の上方を通過して前記カバー体の開口部から荷室内に送出されることを特徴とするエバポレータユニット。
【請求項２】
前記箱型荷台は、下部断熱パネルと、前記下部断熱パネルよりも車両前方側に位置する上部断熱パネルとを有する前面パネルを備えており、
前記２個の側方フレームが前記上部断熱パネルに固定され、かつ、前記板状のカバー体を含む前記側方フレームの車両前後方向の寸法が、前記上部断熱パネルと前記下部断熱パネルとの間の距離を越えないよう設定されている請求項１に記載のエバポレータユニット。
【請求項３】
前記下部断熱パネルと前記上部断熱パネルとの結合部には、前記エバポレータのドレン受けが設置されている請求項２に記載のエバポレータユニット。
【請求項４】
前記縦仕切り板の導風孔は、前記エバポレータファンと対向する位置に形成され、前記エバポレータファンに導く冷気を整流するシュラウドを備えている請求項１乃至請求項３のいずれかに記載のエバポレータユニット。
【請求項５】
前記２個の側方フレームの上方には、前記エバポレータファンから吹き出される冷気を荷室側に導く風向板が設置されている請求項１乃至請求項４のいずれかに記載のエバポレータユニット。
【発明の詳細な説明】
【技術分野】
【０００１】
本発明は、冷凍車等に搭載され、断熱パネルにより囲まれた荷室内を冷却する冷凍装置に関し、ことに、荷室内に設置される冷凍装置のエバポレータ（蒸発器）部の構造に関するものである。
【背景技術】
【０００２】
トラック等による貨物輸送の分野では、消費生活の多様化あるいは利便性の追求に伴って、野菜、果物、魚介類等の生鮮食料品あるいは冷凍食品などの輸送の需要が増加している。生鮮食料品又は冷凍食品等の輸送には、断熱パネルにより囲まれた密閉式の箱型荷台を搭載し、その荷室内の温度を、冷凍装置を用いて低温に保持する冷蔵車又は冷凍車が用いられる。最近では、食品の安全性に対する要求が厳しくなり、輸送中の荷室内の温度が積載する貨物に応じた適正な範囲から外れないよう厳格に管理する必要が生じており、いわゆる温度管理車と呼ばれる車両も増加している。
【０００３】
冷凍装置は、気体状態のフロン等の冷媒を圧縮するコンプレッサ（圧縮機）、圧縮後の高温の冷媒を冷却し液化するコンデンサ（凝縮器）、液化した冷媒を絞り膨張させて低温化する膨張弁、膨張後の低温の冷媒を吸熱により気化するエバポレータ（蒸発器）を備えており、エバポレータで気化させるときに周囲の熱を奪い冷却を行うものである。冷凍車等の車両に搭載される冷凍装置では、車両走行用のエンジン又は冷凍装置専用のエンジンによりコンプレッサを駆動し、圧縮後の冷媒を荷室の外部に置かれたコンデンサに送り、コンデンサファンにより冷却する。エバポレータは、断熱パネルにより囲まれた荷室内の上方に設置してあり、エバポレータで冷却された冷気は、エバポレータファンにより荷室内の上方から吹き出されて荷室内を循環する。エバポレータファンはエバポレータと一体に組付けられており、エバポレータとエバポレータファンとが一体となり荷室内に置かれるユニットを、以下「エバポレータユニット」という。
【０００４】
冷凍車等においては、エバポレータユニットがさらにコンデンサのユニットと組み合わされ、その組立体を、車両の運転台の上方に位置する箱型荷台の前面パネル上部に取り付けるものが多い。この場合には、エバポレータユニットとコンデンサユニットとの間には断熱材が配置され、エバポレータユニットが荷室内に設置されるとともに、コンデンサユニットが運転台の上方の荷室外部に置かれることとなる。なお、冷凍車の中には、荷室に中仕切りを設置して前後の荷室に分割し、前側荷室と後側荷室とを異なる温度に維持するようにしたものがあり、その場合に、例えば、後側荷室の後面パネルに、コンデンサユニットと分離した後側荷室専用のエバポレータユニットを取り付ける冷凍車も存在する。
車両の運転台の上方にエバポレータユニットとコンデンサユニットとの組立体を装着する車両用冷凍装置は、一例として特開平１１−２０４６０号公報に記載されており、図６にはこの公報に記載された冷凍装置を示す。
【０００５】
図６（ａ）において、冷凍車は箱型荷台１０１と運転台１０２とを備え、箱型荷台１０１の各面は断熱パネルにより構成されている。運転台１０２の上方には、エバポレータユニットとコンデンサユニットとが一体となった組立体１０３が設置されており、組立体１０３は、図６（ｂ）に示されるとおり、断熱材からなるハウジング１０４（エバポレータハウジング）の荷室の外部側にコンデンサユニットＣＵを装着するとともに、荷室内側にエバポレータユニットＥＵを装着したものである。エンジンルームに置かれたコンプレッサ１０５で圧縮された冷媒は、図示しない管路を介しコンデンサ１０６に導入され、ここでコンデンサ用ファン１０７及び走行風により冷却されて液化する。液化した冷媒は、管路を介して図示しない膨張弁に送られ、ここで絞り膨張を行って低温となりエバポレータ１０８に導入される。
【０００６】
エバポレータ１０８は、荷室内を冷却するための熱交換器であって、その上方にはエバポレータファン１０９が設けてあり、荷室内の空気は、エバポレータファン１０９によりエバポレータ１０８を通過して吸引され、冷却された空気が荷室内に吹き出される。このようなエバポレータユニットは、荷室内に積載される貨物と干渉することのないよう、箱型荷台１０１の前面パネルから突出するエバポレータハウジング１０４内に収納され、このエバポレータハウジング１０４が、箱型荷台１０１の前面パネルにおける開口部１１０に取り付けられる。
【特許文献１】特開平１１−２０４６０号公報
【発明の開示】
【発明が解決しようとする課題】
【０００７】
箱型荷台の荷室側のエバポレータユニットは、荷室内に張り出して設置されると、積載可能な貨物がその分減殺され、また、貨物の衝突により損傷等が生じる。そのため、エバポレータユニットとコンデンサユニットとが一体に組付けられた車両用冷凍装置の組立体では、エバポレータユニットを箱型荷台の前方に突出するエバポレータハウジングに収容し、その外側にコンデンサユニットを取り付ける。エバポレータハウジングには、外部からの熱の流入を防止するよう断熱材が用いられるが、その断熱材は、箱型荷台の前面パネルや屋根パネルを構成する断熱パネルとは別物となっている。つまり、このような組立体を箱型荷台に装着する場合には、前面パネル等の断熱パネルとは異なる断熱材を要するとともに、装着に際して、前面パネル等に切断加工等を施し装着用の開口部を形成しなければならない。
【０００８】
また、エバポレータ及びコンデンサは、伝熱用フィンを備える多数の金属管を集合させた熱交換器であり、かなり重量の大きなものであって、これらが一体化した組立体を箱型荷台の上部に取り付ける作業は、重量物を保持しながら行う困難な作業となって作業性が良くない。エバポレータユニットとコンデンサユニットの相対的な位置を変えることができないため、例えば、荷室内に置かれるエバポレータユニットの位置が制約され、冷気の循環に好適な位置に設置することができない場合もある。
本発明の課題は、冷凍車等の荷室内に設置されるエバポレータユニットをコンデンサユニットから分離し、箱型荷台の断熱パネルを利用してエバポレータユニットを取り付け、しかも、エバポレータユニットが荷室内に張り出すことのないよう、その厚さを極力小さくして上述の問題点を解決することにある。
【課題を解決するための手段】
【０００９】
上記の課題に鑑み、本発明のエバポレータユニットは、上下方向に長い矩形状の２個の側方フレームを、箱型荷台の断熱パネルに固定してカバー体で荷室側を覆い、側方フレームの下部にエバポレータを取り付け、かつ、側方フレームの上部には、中心から径方向外方に流れる遠心式のエバポレータファンを設けるとともに、エバポレータからエバポレータファンの吸入口に冷気を送る導風板を設置するものである。すなわち、本発明は、
「車両に搭載され、断熱パネルを備えた箱型荷台の荷室内を冷却する冷凍装置のエバポレータユニットであって、
前記断熱パネルには、上下方向に長い矩形状の２個の側方フレームが間隔を開けて並行に固定されるとともに、前記２個の側方フレームの前記断熱パネルと反対側には、上部に開口部を有する板状のカバー体が固定されており、
前記２個の側方フレームの下部の間には、前記冷凍装置のエバポレータが、その両端部が前記２個の側方フレームのそれぞれに固定されて設置され、
前記２個の側方フレームの上部の間には、前記断熱パネルと平行な縦仕切り板と、前記縦仕切り板の上端と前記カバー体との間を連結する上部仕切り板と、前記縦仕切り板の下端と前記箱型荷台の断熱パネルとの間を連結する下部仕切り板とを有する導風板が固定されており、
前記下部仕切り板の上方の前記縦仕切り板と前記断熱パネルとの間には、中心から径方向外方に流体を流す遠心式のエバポレータファンが、その回転軸が前記断熱パネルと直交するように設置され、かつ、前記縦仕切り板には導風孔が形成されており、
前記エバポレータを通過した冷気が、前記導風孔を介して前記エバポレータファンに導入された後、前記上部仕切り板の上方を通過して前記カバー体の開口部から荷室内に送出される」
ことを特徴とするエバポレータユニットとなっている。
【００１０】
請求項２に記載のように、前記箱型荷台における前面パネルを、下部断熱パネルと、前記下部断熱パネルよりも車両前方側に位置する上部断熱パネルとにより構成し、前記２個の側方フレームを前記上部断熱パネルに固定し、かつ、前記板状のカバー体を含む前記側方フレームの車両前後方向の寸法を、前記上部断熱パネルと前記下部断熱パネルとの間の距離を越えないよう設定することが好ましい。この場合には、請求項３に記載のように、前記下部断熱パネルと前記上部断熱パネルとの結合部に、前記エバポレータのドレン受けを設置することができる。
【００１１】
請求項４に記載のように、前記縦仕切り板の導風孔を、前記エバポレータファンと対向する位置に形成し、さらに、その導風孔には、前記エバポレータファンに導く冷気を整流するシュラウドを設けることが好ましい。
【００１２】
また、請求項５に記載のように、前記２個の側方フレームの上方には、前記エバポレータファンから吹き出される冷気を荷室側に導く風向板を設置することが好ましい。
【発明の効果】
【００１３】
本発明のエバポレータユニットでは、上下方向に長い矩形状の２個の側方フレームを箱型荷台の断熱パネルに固定し、その下部にエバポレータを装着するとともに、上部には、中心から径方向外方に流体を流す遠心式のエバポレータファンを設けている。つまり、本発明のエバポレータユニットは、コンデンサユニットとは分離して、箱型荷台の断熱パネルに直接取り付けられるものであり、エバポレータユニットとコンデンサユニットとの間に配置されていた断熱材が不要となる。そして、エバポレータユニットの取り付けに際しては、箱型荷台の前面パネルの一部を切断して開口部を形成するなどの加工の必要がないと同時に、コンデンサユニットと分離された分重量が軽減されているので、エバポレータユニットの前面パネルへの装着作業は容易なものとなる。
【００１４】
本発明のエバポレータユニットに用いられるエバポレータファンは、中心から径方向外方に流体を流す遠心式のファンであって、その回転軸が断熱パネルと直交するように設置されている。そのため、エバポレータファンの断熱パネルから突出する寸法は短いものとなり（例えば、回転軸と平行に流体を流す軸流式のファンを用いてエバポレータからの冷気を上方に流す場合には、少なくともファンの翼の外径に相当する長さが断熱パネルから突出する）、それに応じて、側方フレームの断熱パネルからの突出量（厚さ）も小さくなる。したがって、エバポレータユニットの荷室内への張り出しを抑えることが可能で、エバポレータユニットの設置に伴って生じる、貨物を積載する荷室容積の減少を極力回避することができる。側方フレームの荷室側には板状のカバー体が固定されるとともに、２個の側方フレームの間には導風板が固定されており、導風板とカバー体とによりエバポレータファンへの流路が形成されるので、エバポレータで冷却された冷気は、この流路を経由してスムースに遠心式のエバポレータファンに流れることとなる。
【００１５】
請求項２の発明は、箱型荷台の前面パネル、つまり車両前方側の面の断熱パネルを、上下２個のパネルに分割して上部断熱パネルが下部断熱パネルよりも車両前方側に位置するようにし、この上部断熱パネルに２個の側方フレームを固定するとともに、板状のカバー体を含む側方フレームの車両前後方向の寸法を、上部断熱パネルと下部断熱パネルとの間の距離を越えないよう設定するものである。この構成を採用すると、エバポレータユニットが下部断熱パネルよりも荷室側に突出することはなく、荷室内の貨物がエバポレータユニットと衝突して損傷の生じる事態が回避される。
また、上部断熱パネルが下部断熱パネルよりも車両前方側に位置しているため、両者の結合部には段差が形成されており、請求項３の発明のように、その結合部にエバポレータのドレン受けを設置することができる。エバポレータのドレン受けは、エバポレータに付着して滴下する凝縮水を集めるための樋状の部材であり、２個の側方フレームの下部に設置したエバポレータの下方に、エバポレータの全長に亘って設けられる。
【００１６】
請求項４の発明は、導風板の縦仕切り板に設ける導風孔を、エバポレータファンと対向する位置に形成し、さらに、その導風孔には、エバポレータファンに導く冷気を整流するシュラウドを設けるものである。縦仕切り板の導風孔では、縦仕切り板と平行に流れる冷気の流れを縦仕切り板と直交する方向に変更するので、導風孔をエバポレータファンと対向する位置に形成し、さらに、シュラウドを設けることにより、エバポレータファンに吸引される冷気の流れが円滑となり、圧力損失が減少する。
【００１７】
請求項５の発明は、２個の側方フレームの上方に、エバポレータファンから吹き出される冷気を荷室側に導く風向板を設置するものである。本発明のエバポレータファンは径方向外方に流体を流す遠心式のファンであって、エバポレータファンからは上方に向けて冷気が吹き出されるが、吹き出し側に荷室方向に風向きを変更する風向板を設置すると、風向きの変更が円滑に行われ、エバポレータファンから吐出された冷気は、板状のカバー体の上部に形成した開口部を通過して、スムースに荷室側に吹き出されることとなる。
【発明を実施するための最良の形態】
【００１８】
以下、図面に基づいて本発明のエバポレータユニットについて説明する。図１は、箱型荷台に装着される本発明のエバポレータユニットの実施例について、その分解組立図を斜視図で表すものであって、理解を容易とするよう、箱型荷台の屋根パネルや一方の側面パネル等を取除いた状態で示している。図２は、エバポレータユニットの要部を示す斜視図であり、図３は、断熱パネルに取り付けられたエバポレータユニットの側面図である。また、図４にはエバポレータユニットの側方フレームを、図５には導風板をそれぞれ単品図で表す。
【００１９】
図１に示されるように、トラック等の車両に搭載される箱型荷台１は、基本的には、車両の前後方向に置かれる前面及び後面パネル、２枚の側面パネル、屋根パネル及び床面パネルからなる６面体により構成される。冷凍車等においては、外部との熱伝達を遮断するよう、これらのパネルに断熱パネルが使用され、冷凍車等の箱型荷台１の荷室は、断熱パネルにより取り囲まれている。後面パネルには、通常、貨物の積み降ろしを行うための観音開き式のドアが設置されている。
【００２０】
図１に示す実施例の箱型荷台１においては、その前面パネルは、上部断熱パネル１１と下部断熱パネル１２とを備えている。上部断熱パネル１１は下部断熱パネル１２よりも車両前方側に配置してあり、上部断熱パネル１１と下部断熱パネル１２との結合部には、傾斜した断熱材１３が置かれている。上部断熱パネル１２の荷室側には、本発明のエバポレータユニットＥＵが装着されるとともに、上部断熱パネル１１の外側には、２点差線で表すコンデンサユニットＣＵが、車両の運転台の上方に位置するよう装着される。このように、本発明のエバポレータユニットＥＵの取り付け個所は、図６の従来の冷凍車と略同様な位置であるが、エバポレータユニットＥＵとコンデンサユニットＣＵとは分離されている。つまり、本発明のエバポレータユニットＥＵは、前面パネルの上部断熱パネル１１を挟んでコンデンサユニットＣＵと対向する位置に、エバポレータユニット単体で取り付けられるものである。
【００２１】
エバポレータユニットＥＵは、間隔を開けて並行に配置された２個の側方フレーム２を備え、側方フレーム２は、ねじあるいはリベット等により上部断熱パネル１１の荷室側に固定される。図４に示すとおり、側方フレーム２は、下部に空間部２１を有する上下方向に長い矩形状の部材であって、下部の空間部２１には、冷媒を気化し周囲を冷却する冷凍装置のエバポレータＥの両端部が挿入され固定される。エバポレータＥは、伝熱用フィンを有する多数の金属管を集合した熱交換器で、両端部にバッフルプレートを備えており、これを利用してエバポレータＥを下部の空間部２１に保持することができる。
エバポレータＥは、上部断熱パネル１１を貫通する図示しない管路を介してコンデンサユニットＣＵに接続されている。冷凍装置の膨張弁は、その管路の途中に介在されるが、これを側方フレーム２の外側に取り付けることも可能である。エバポレータＥの下方の傾斜した断熱材１３には、エバポレータＥの幅方向の全長に亘るドレン受け１４が設置されており、エバポレータＥから滴下する凝縮水を集めて外部に排出する。ドレン受け１４には、エバポレータの除霜の際に高温の冷媒が通過するバイパス管路を設置して、凝縮水の凍結を防止するようにしてもよい。
【００２２】
２個の側方フレーム２の間には、板状のカバー体３が、側方フレーム２の荷室側、つまり上部断熱パネル１１の反対側に固定されて設けられており、エバポレータユニットＥＵの荷室側は、板状のカバー体３で覆われている。板状のカバー体３は、エバポレータＥの荷室側及び側方フレーム２の上部の一部とをカバーするもので、側方フレーム２の上端から所定の長さ切除された開口部３１を有している。そして、カバー体３を含む側方フレーム２の車両前後方向の寸法（厚さ）は、エバポレータユニットＥＵが下部断熱パネル１２よりも荷室側に突出することのないよう、上部断熱パネル１１と下部断熱パネル１２との間の距離を越えない寸法に設定されている（図３参照）。
【００２３】
また、図２及び図３にも示されるように、２個の側方フレーム２の間には、エバポレータＥの上方において、縦仕切り板４１、上部仕切り板４２及び下部仕切り板４３とを有する、断面Ｚ型の導風板４が固定されるとともに、導風板４の縦仕切り板４１と上部断熱パネル１１との間には、駆動モータ５１を備えた２個の遠心式のエバポレータファン５が、その回転軸が上部断熱パネル１１と直交するように設置されている。エバポレータファン５は、径方向に延びる多数の翼を備え中心から径方向外方に流体を流す遠心式のファンであって、２個のエバポレータファン５は、エバポレータファン台座５２に並列して固着され、エバポレータファン台座５２が、側方フレーム２の上部のファン台座固定ブラケット２２に固定される。
【００２４】
エバポレータＥからエバポレータファン５へ冷気を導くための導風板４は、図５に示されるとおり、上部断熱パネル１１と平行に置かれ、導風孔４４が形成された縦仕切り板４１と、縦仕切り板４１の上端及び下端からそれぞれ垂直に延びる上部仕切り板４２、下部仕切り板４３とを備えている。図５に示す導風板４では、縦仕切り板４１と上部仕切り板４２とが一体となり、別体の下部仕切り板４３がねじ等で固着されたものであるが、１枚の板材を折り曲げて導風板４を製作してもよい。縦仕切り板４１は、側方フレーム２の上部の導風板固定ブラケット２３に固定され、また、上部仕切り板４２はカバー体３の開口部３１の下方縁部に、下部仕切り板４３は上部断熱パネル１１に、それぞれねじ等で固着される（図１等参照）。
【００２５】
縦仕切り板４１の導風孔４４は、エバポレータファン５の吸入口に対向する位置に形成され、エバポレータファン５に吸入される冷気の流れを案内する、断面ベルマウス形のシュラウド４５を備えている。図１、図２のシュラウド４５は、縦仕切り板４１とは別体のものを固着しているが、縦仕切り板４１のプレス加工により導風孔４４とともにシュラウド４５を形成することもできる。また、エバポレータファン５から上方に向け吐出される冷気を荷室方向に案内するため、側方フレーム２の上端部には風向板２４が固着されているが、図１に示すとおり、風向板２４を上部断熱パネル１１に固着することもできる。
【００２６】
このように、本発明のエバポレータユニットＥＵは、コンデンサユニットとは分離して、箱型荷台の上部断熱パネル１１に直接取り付けられるので、エバポレータユニットとコンデンサユニットとの間に従来配置されていた断熱材は不要である。また、エバポレータユニットＥＵの取り付け作業は、コンデンサユニットと分離された重量の小さいユニットを平面状の上部断熱パネル１１に取り付けることとなるため、容易な作業となる。場合によっては、まず２個の側方フレーム２を上部断熱パネル１１に固定し、次いで、エバポレータファン５を装着したエバポレータファン台座５２と導風板４とを側方フレーム２の上部に、エバポレータＥを側方フレーム２の下部に固定した後、カバー体３を固定する、というように、部品ごとに順次取り付ける方法を採用することもできる。
【００２７】
そして、本発明のエバポレータユニットＥＵに用いられるエバポレータファン５は、回転軸が前面パネルと直交するように設置された遠心式のファンであるため、車両前後方向の寸法は短いものとなる。したがって、側方フレーム２の車両前後方向の寸法も小さくなり、エバポレータユニットＥＵの荷室内への張り出しを抑えることが可能となる。エバポレータユニットＥＵの荷室側に設けたカバー体３は、荷室内に積載された貨物がエバポレータユニットＥＵと衝突するのを防止する役目も果たしている。
【００２８】
次いで、上記のように構成された本発明のエバポレータユニットＥＵの冷気の流れ等について説明する。
図１の箱型荷台１の荷室内には、冷凍食品や生鮮食料品等、低温の輸送が必要な貨物が積載される。エバポレータファン５を駆動すると、図３の破線の矢印で示されるように、荷室内の空気は、カバー体３の下部の開口３２（図１）からエバポレータＥへ流れる。空気がエバポレータＥを下方から上方へ通過するときに、エバポレータ内の低温の冷媒との熱交換が行われ、空気は低温の冷気となる。冷気は、導風板４の縦仕切り板４１とカバー体３の間の流路を経由して導風孔４４に導かれ、シュラウド４５により整流されながらエバポレータファン５の吸入口に吸引される。
【００２９】
エバポレータファン５は遠心式のファンであり、吸入された冷気は径方向外方に向け圧送されて、開放されたエバポレータファン５の上方の空間に吐出される。吐出された冷気は、風向板２４で荷室方向に案内され、上部仕切り板４２の上方を通過してカバー体３の開口部３１（図１）から荷室内に吹き出される。荷室の上方から吹き出した冷気は、荷室内の貨物を冷却した後、再びエバポレータユニットＥＵに循環することとなる。
【００３０】
以上詳述したように、冷凍車等に適用される本発明のエバポレータユニットは、上下方向に長い矩形状の２個の側方フレームを箱型荷台の断熱パネルに固定し、この側方フレームの間に、下部にエバポレータを、上部には、中心から径方向外方に流れる遠心式のエバポレータファンと導風板とを設置するものであり、箱型荷台の断熱パネルを利用してエバポレータユニットの取り付けが可能で、しかも、エバポレータユニットの荷室内への張り出しを抑制するよう、厚さが小さく構成されている。
上述の実施例では、本発明のエバポレータユニットを箱型荷台の段差を備えた前面パネルに取り付ける場合について説明したが、段差のないフラットな前面パネルにも取り付けができること、あるいは、中仕切りを設置して前後の荷室に分割した冷凍車の、後側荷室の後面パネルに設置される後側荷室専用のエバポレータユニットとして、本発明のエバポレータユニットを適用できることは言うまでもない。また、並置されるエバポレータファンの個数を適宜増減する、ブラケットとねじによる導風板の取り付けを溶接による取り付けに変更するなど、実施例に対し種々の変形が可能であることは明らかである。
【図面の簡単な説明】
【００３１】
【図１】本発明のエバポレータユニットの実施例を示す分解斜視図である。
【図２】本発明のエバポレータユニットの要部を示す斜視図である。
【図３】図１のエバポレータユニットの側面図である。
【図４】本発明のエバポレータユニットの側方フレームを示す図である。
【図５】本発明のエバポレータユニットの導風板を示す図である。
【図６】従来の冷凍車におけるエバポレータユニット等を示す図である。
【符号の説明】
【００３２】
１  箱型荷台
１１  上部断熱パネル
１２  下部断熱パネル
２  側方フレーム
３  カバー体
４  導風板
４１  縦仕切り板
４４  導風孔
４５  シュラウド
５  エバポレータファン
Ｅ  エバポレータ
ＥＵ  エバポレータユニット
ＣＵ  コンデンサユニット
【図１】
0004916464.tif 000002
【図２】
0004916464.tif 000003
【図３】
0004916464.tif 000004
【図４】
0004916464.tif 000005
【図５】
0004916464.tif 000006
【図６】
0004916464.tif 000007